【事件の表示】
　特願２０００−３１７７２８「オーディオデータ記録再生装置」拒絶査定不服審判事件〔平成１４年　４月２６日出願公開、特開２００２−１２４０２２〕について、次のとおり審決する。
【結　論】
　本件審判の請求は、成り立たない。
【理　由】
１．手続の経緯、本願発明
　本願は、平成１２年１０月１８日の出願であって、その請求項１及び２に係る発明は、平成２０年１０月６日付けで手続補正された明細書の、特許請求の範囲の請求項１及び２に記載されたとおりのものであると認められるところ、そのうち、請求項１に係る発明（以下、「本願発明」という。）は、次のとおりである。
　
「【請求項１】　複数のトラックで構成されるオーディオデータを編集可能なオーディオデータ記録再生装置において、
　複数の音データを記憶する音データ記憶手段と、
　複数のトラックの各トラック毎に、前記音データ記憶手段に記憶されている複数の音データからの当該トラックで再生する１ないし複数の部分音データの切出範囲、および、該切出された１ないし複数の部分音データの各々の上記オーディオデータの演奏開始時点からの相対時間である再生タイミングを示すトラックデータを、編集の履歴として複数記憶するトラックデータ記憶手段と、
　編集指示に応じて、上記編集の履歴のうちの現在のトラックデータの少なくとも１つの部分音データを変更、ないし削除、または同トラックデータへ新たな部分音データを追加するように、同トラックデータを編集するとともに、編集されたトラックデータを上記履歴の新たな現在のトラックデータとして前記トラックデータ記憶手段に記憶するトラック編集手段と、
　トラックデータ記憶手段に記憶された現在のトラックデータに従って、前記音データ記憶手段から該トラックデータの示す切出範囲の各部分音データを該部分音データに対応した再生タイミングで読み出して再生するトラック再生手段と、
　アンドゥの指示に応じて、上記編集の履歴のうちの上記編集の前のトラックデータを現在のトラックとして選択するアンドゥ手段と
を備えたことを特徴とするオーディオデータ記録再生装置。」
　
２．引用例
（１）第１引用例
　これに対し、当審において、平成２０年８月４日付けで通知した拒絶理由に引用した特開平６−２７５０５１号公報（以下、「第１引用例」という。）には、図面とともに以下の技術事項が記載されている。
（ａ）従来例として、音声素材をハードディスクにアップロードしてから編集するものについて次のように記載されている。
「【０００２】
【従来の技術】音声などの編集を行う編集装置は、周知のように少なくとも編集用の素材となるソースの音声を再生する再生機（プレーヤ）と、再生された音声を取り込むため音声の特定区間（編集区間）を切り出し複数のソースを記録する記録機（レコーダ）とが必要である。
【０００３】編集用プレーヤは使用するソースに応じて複数個用意するか、単一のプレーヤを共用し、ソースを選択しながら編集を実行する。編集用レコーダとしてはその記録媒体としてテープを使用したり、ハードディスクＨＤを使用したりするが、記録容量、非破壊編集などを考慮すればハードディスクを使用したレコーダを使用するのが好ましい。
【０００４】以下説明する例は、ハードディスクを使用したレコーダについて説明する。
【０００５】レコーダの記録媒体としてハードディスクを使用した音声編集装置にあって、従来では図７のように編集素材となる複数のソース（図ではソース１〜ソース３）を用意し、夫々については音声素材１０Ａ，１０Ｂ，１０Ｃの各編集点（イン点及びアウト点）が定められているものとする。
【０００６】次に、図８に示すようにソース１についてその音声素材１０Ａの音声がハードディスクに取り込まれ（アップロードされ）、以下順にソース２とソース３の各音声素材１０Ｂ，１０Ｃがハードディスクにそれぞれアップロードされる。ハードディスクにアップロードされるたびに編集用ＣＰＵ（図示はしない）内ではファイルが自動生成され、夫々別々のファイルに上述した音声素材１０Ａ，１０Ｂ，１０Ｃが格納される。
【０００７】全ての音声素材についてのアップロードが終了したなら、次に図８に示すように自動作成されたファイル１〜３を用いて編集作業が行なわれる。この編集のためにユーザが管理できるファイル（ミュージックファイル）を設定し、このユーザ管理ファイルが時間軸（タイムコード：００Ｈ００Ｍ００Ｓ００Ｆ）を基準にして管理される。編集作業が終了すると図９のように新たな音声素材によって組み立てられたミュージックソースができ上がる。」
　
（ｂ）
「【００２０】夫々のプレーヤ１１ａ〜１１ｎから通常異なった音声素材が再生される。これら音声素材は編集用レコーダ１０Ｂに取り込まれて（アップロードされて）、編集用デコーダ１５に設けられた内蔵の記録媒体１６に格納される。記録媒体１６としては時間軸（タイムコード）の管理が容易で、記録容量が大きく非破壊編集Ｎが容易なハードディスクＨＤなどが使用される。
【００２１】１７は編集用プレーヤ１０Ａと編集用レコーダ１０Ｂの制御を司る制御部としてのＣＰＵであって、この例ではソースの選択、音声素材の切り出し点である編集点の決定、ハードディスク１６に対するタイムコードの設定などの編集作業がキーボード１８からの指令に基づいて実行される。編集作業の設定内容等についてはモニタ１９上に表示される。２０は編集前の音声素材や編集後の音声を確認するためのスピーカである。
【００２２】続いて、この音声編集装置１０を使用した編集動作を説明するが、編集すべき音声素材（ソース）としては図２に示すように３つのソースを例示する。それぞれの音声素材については切り出すべき編集点（イン点とアウト点）が予め判っているものとする。１０Ａ，１０Ｂ，１０Ｃがこれらの音声素材を示す。
【００２３】ディスク１６上ではデータはファイル単位で取り扱われるので、編集用レコーダ１０Ｂにおける編集結果をストアするファイルとしてはユーザが管理できるユーザ管理ファイル（ミュージックファイル）を用意する。ファイル中のデータはタイムコードをアドレスとして管理されるので、データをディスク上に記録する場合にはタイムコード（時間（Ｈ）、分（Ｍ）、秒（Ｓ）、フレーム（Ｆ））を指定する。
【００２４】このタイムコードは厳密な編集点を決めるタイムコードであってもよいが、通常は再編集などが行われる場合が多いので、ファイルを特定するための粗い時間軸管理情報としてタイムコードが指定される。
【００２５】そして、図３のようにユーザ管理ファイル上で決めた（ａ），（ｂ），（ｃ）のそれぞれのポイントに音声素材１０Ａ，１０Ｂ，１０Ｃを置くような編集が行なわれる。例えばユーザ管理ファイル上の（ａ）点に１０Ａという音声素材を置くような編集を行なうには、編集用プレーヤ１をアクセスして（ａ）点でのタイムコードを指定する。指定されたこのタイムコードを基準に音声素材１０Ａのデータがディスク１６上にファイル１としてストアされ、同時に図３に示すような編集リストが自動的に作成される。
【００２６】（ｂ），（ｃ）についても同様にファイル２、ファイル３として、（ｂ）点、（ｃ）点として指定されたタイムコードに対して音声素材がストアされ、そして同様な編集リストがその都度作成される。
【００２７】したがって、図３に示すユーザ管理ファイルに対してタイムコードを指定することによってそのタイムコードに対する音声素材が次々につながれて新しい連続した音声が再生される（図４参照）。
【００２８】タイムコードの指定を変更したり、削除したり追加したりすることによって、音声素材の移動、コピー、削除等の編集作業を実行できるから、ディスク１６上のデータを破壊することなくこの編集作業を行なうことができる。
【００２９】図５は以上の編集動作をフローチャート化したもので、音声素材の決定、編集点の決定が行なわれたのちは（ステップ３１）、ディスク１６上にユーザ管理ファイル（編集ファイル）を定義し、指定するタイムコードによってデータの管理を行ないつつ編集作業が行なわれる（ステップ３２）。この処理が全ての音声素材について行なわれる（ステップ３３，３４）。」
　
　上記記載事項及び図面を総合勘案すると、上記第１引用例には、次の発明（以下、「引用発明」という。）が記載されている。
　
「複数のチャンネルで構成される音声素材を編集可能な音声編集装置であって、 
　少なくとも編集用の素材となるソースの音声を再生する再生機（プレーヤ）と、再生された音声を取り込むため音声の特定区間（編集区間）を切り出し複数のソースを記録する記録機（レコーダ）とを有し、
　前記レコーダとして複数の音声素材を記憶する非破壊編集が可能なハードディスクを備え、 
　複数のチャンネルの各チャンネルに関し、前記ソースに記憶されている複数の音声素材からの当該チャンネルで再生する１ないし複数の音声素材の特定区間の切出範囲、および、該切出された１ないし複数の音声素材の各々の上記音声素材のタイムコードをストアするユーザ管理ファイル（ミュージックファイル）とを生成記憶し、 
　編集作業に応じて、タイムコードの指定の、変更、削除、追加等を行うことができ、 
　タイムコードに対してつながれた音声素材は連続した音声として再生される、
　音声編集装置 。」
　
（２）第２引用例
　同じく前記拒絶理由に引用した特開平７−１４１８４２号公報（以下、「第２引用例」という。）には、図面とともに以下の技術事項が記載されている。
（ｃ）「【００１６】また、２１０はオーディオデータ編集用のキーである。「Ｐ／Ｒ」はプレーヤまたはレコーダを選択するためのキーである。「ＩＮ」、「ＯＵＴ」はソースファイルの切り出し点やレコーダファイルの編集点を指定する際に、ポイント（ＩＮ点、ＯＵＴ点）を選択するためのキーである。この場合、「ＰＬＡＹ」キーおよびダイヤル２１１によって、ディスプレイ２０１上のプレーヤ側およびレコーダ側の波形表示エリアのＩＮ点、ＯＵＴ点のポイント表示を移動させ、「ＥＮＴＲＹ」のキーを押すことで指定できる。「ＲＥＧＩＳＴ」はソースファイルより切り出されたオーディオ素材のデータ、すなわちＩＮ点、ＯＵＴ点のタイムコードおよびオーディオデータを、後の処理のためにＨＤＤ９に格納しておくためのキーである。
【００１７】「ＦＡＳＴ」キーを押しながらダイヤル２１１を回すことで、ポイント表示の移動を速くできる。なお、“ＳＨＴＬ”モードではダイヤル２１１の回転角に応じてポイント表示が一定速度で移動し、“ＪＯＧ”モードではダイヤル２１１の回転に応じてポイント表示が移動する。また、ＩＮ点、ＯＵＴ点を変更する場合、上述した方法で再指定できると共に、「Ｒ」、「Ｐ」のキーを押しながらダイヤル２１１を回すことでポイント表示を移動させることができる。
【００１８】「ＰＲＥＶＩＥＷ」は、指定した編集の試聴を行うためのキーである。「ＩＮ」、「ＯＵＴ」のキーによってＩＮ点またはＯＵＴ点の所定時間前から再生して試聴することが可能となる。所定時間はファンクションキー２０５を使用して任意に設定できる。また、３個のキー２１２ａ，２１２ｂ，２１２ｃによって編集ポイントの再生が行なわれる。この場合、「Ｐ／Ｒ」キーでもってプレーヤまたはレコーダの選択が行なわれ、キー２１２ａ，２１２ｂでＩＮ点、ＯＵＴ点の近傍の再生が行なわれる。また、キー２１２ｃが押されるときは、「Ｐ／Ｒ」キーの選択に拘らずにプレーヤとレコーダの編集リハーサルが行なわれる。
【００１９】「ＥＰ  ＳＴＯＲＥ」は編集パターンをストアするためのキーである。上述したようにして編集パターンを作成した後に、テンキーで番号を指定して「ＥＰＳＴＯＲＥ」キーを押すことでストアできる。「ＥＰ  ＲＥＣＡＬＬ」はストアされた編集パターンを呼び出すためのキーである。テンキーで番号を指定して「ＥＰ  ＲＥＣＡＬＬ」キーを押すことで、その番号にストアされた編集パターンが呼び出される。このように「ＥＰ  ＲＥＣＡＬＬ」キーを使用して編集パターンを順次呼び出すことで、各編集パターン候補の聴き比べを効率よく行なうことが可能となる。」
　
（ｄ）「【００２５】ここで、レコーダとして光磁気ディスク装置８Ａが選択されてノンリニア編集が行なわれる場合の手順を簡単に説明する。レコーダの選択と同時にプレーヤとしてＳＣＳＩディバイス、例えばＨＤＤ９が選択された場合を例にとって説明する。この場合、ＨＤＤ９にはディジタルレコーダ６Ｂ、ＤＡＴ６Ｃ、ＣＤプレーヤ６Ｄより必要なオーディオデータが予めファイル名が付されてアップロードされているものとする。
【００２６】まず、ファンクションキー２０５でウインドゥを開いて、プレーヤのソースファイルを選択する。これにより、ディスプレイ２０１のプレーヤ側表示領域２０１ａにはソースファイル名、オーディオデータの波形等が表示される。
【００２７】次に、ファンクションキー２０５でウインドゥを開いて、レコーダファイルを指定する。図示せずも、ウインドゥには既にレコーダに登録されているファイルが表示され、そのファイルのいずれか、あるいは新規ファイルを指定する。既にレコーダに登録されているファイルを指定すると、ディスプレイ２０１のレコーダ側表示領域２０１ｂにはレコーダファイル名、オーディオデータの波形等が表示される。一方、新規であることを指定するときは、当然のことながらレコーダファイル名等は表示されないことになる。なお、オーディオデータの波形表示は例えばチャネルＣＨ１側に行なわれる。
【００２８】次に、ファンクションキー２０５を使用して、プレーヤ側でチャネルＣＨ１またはＣＨ２のいずれかを指定する。
【００２９】次に、ソースファイルの切り出し点を指定する。「Ｒ／Ｐ」キーでプレーヤを選択する。そして、「ＩＮ」、「ＯＵＴ」のキーでポイント（ＩＮ点、ＯＵＴ点）を選択し、「ＰＬＡＹ」キーでＰＬＡＹ状態とし、あるいはダイヤル２１１を回す等してポイント表示（図３にＰ0で図示）を移動させてポイントを決め、「ＥＮＴＲＹ」キーを押すことで指定する。これにより、波形表示エリアには、ＩＮ点、ＯＵＴ点を示す表示Ｐin およびＰoutが表示される。
【００３０】次に、レコーダファイルの編集点を指定する。すなわち、ソースファイルより切り出された部分（オーディオ素材）を置く位置を指定する。「Ｒ／Ｐ」キーでレコーダを選択する。そして、「ＩＮ」、「ＯＵＴ」のキーでポイント（ＩＮ点、ＯＵＴ点）を選択し、「ＰＬＡＹ」キーでＰＬＡＹ状態とし、あるいはダイヤル２１１を回す等してポイント表示（図３にＲ0で図示）を移動させてポイントを決め、「ＥＮＴＲＹ」キーを押すことで指定する。これにより、波形表示エリアには、ＩＮ点、ＯＵＴ点を示す表示Ｒin およびＲoutが表示される。
【００３１】上述したように指定されたポイント（ＩＮ点、ＯＵＴ点）の変更は、再指定することで、あるいは「Ｒ」、「Ｐ」のキーおよびダイヤル２１１を使用することで行うことができる。このポイントの指定後にクロスフェーダ、イコライザ等の設定をする。この設定はファンクションキー２０５でウインドゥを開くことで行なわれる。
【００３２】ここで、「ＰＲＥＶＩＥＷ」のキーを押すことで、上述したように設定された編集パターンの試聴を行うことができる。「ＩＮ」キーを押すことでＩＮ点の所定時間前より再生が行なわれ、「ＯＵＴ」キーを押すことでＯＵＴ点の所定時間前より再生が行なわれる。
【００３３】なお、テンキーで所定番号を指定して「ＥＰ  ＳＴＯＲＥ」キーを押すことで、上述したように設定された複数の編集パターンのデータをシステムコントローラ３０１で管理されるシステムメモリに記憶させることができる。そして、テンキーで番号を指定して「ＥＰ ＲＥＣＡＬＬ」キーを押すことで、編集パターンを随時呼び出すことができ、容易に聴き較べをすることができる。
【００３４】次に、編集の実行をする。「ＥＸＥＣＵＴＥ」キーを押すことで、編集が実行される。これにより、レコーダファイルの編集点が確定し、ＩＮ点、ＯＵＴ点がその位置に固定される。そして、ソースファイルより切り出された部分（オーディオ素材）のオーディオデータの波形がレコーダファイルの指定された位置に表示される。
【００３５】次に、修正または新規に作成されたオーディオデータ編集リストファイル（ミュージックファイル）をレコーダ（光磁気ディスク装置８Ａ）に登録する。この場合、「ＳＡＶＥ」キーでウインドゥを開き、修正の場合には同じファイル名で登録し、新規作成の場合にはキーボード４でファイル名を入力した後に登録する。このオーディオデータ編集リストファイルは、オーディオ素材の配列、各オーディオ素材に係るプレーヤ名、ソースファイル名、ＩＮ点、ＯＵＴ点のタイムコード、クロスフェードの時間、タイプ等のデータで構成される。」
　
３．対　比
　本願発明と引用発明とを対比する。
　引用発明の「音声編集装置」は、少なくとも「プレーヤ」と「レコーダ」を有するものであるから、本願発明の「オーディオデータを編集可能なオーディオデータ記録再生装置」に相当する。
　引用発明の「複数のチャンネル」は、本願発明の「複数のトラック」に相当する。
　引用発明の「複数の音声素材を記憶する、非破壊編集が可能なハードディスク」は、本願発明の「複数の音データを記憶する音データ記憶手段」に相当する。 
　引用発明の「切出範囲」及び「タイムコード」は、それぞれ本願発明の「切出範囲」及び「再生タイミング」に相当するから、引用発明の「複数のチャンネルの各チャンネルに関し、前記ソースに記憶されている複数の音声素材からの当該チャンネルで再生する１ないし複数の音声素材の特定区間の切出範囲、および、該切出された１ないし複数の音声素材の各々の上記音声素材のタイムコードをストアするユーザ管理ファイル（ミュージックファイル）」は、本願発明の「前記音データ記憶手段に記憶されている複数の音データからの当該トラックで再生する１ないし複数の部分音データの切出範囲、および、該切出された１ないし複数の部分音データの各々の上記オーディオデータの演奏開始時点からの相対時間である再生タイミングを示すトラックデータを、」「記憶するトラックデータ記憶手段」に相当する。 
　引用発明の「編集作業に応じて、タイムコードの指定の、変更、削除、追加等を行うことができ」る点は、前記「変更、削除、追加」した結果は、上書き又は別ファイルとして記憶することが当然であるから、本願発明の「編集指示に応じて」「現在のトラックデータの少なくとも１つの部分音データを変更、ないし削除、または同トラックデータへ新たな部分音データを追加するように、同トラックデータを編集するとともに、編集されたトラックデータを」「新たな現在のトラックデータとして前記トラックデータ記憶手段に記憶するトラック編集手段」を備えることに相当する。なお、部分音データの「切出範囲」の変更、削除、追加については、本願発明で特定されているとは認められないので、ここでの検討の対象外としたが、仮にこの点に相違が認められるとされた場合に備えて、後記（相違点２について）で言及した。
　引用発明において、「タイムコードに対してつながれた音声素材は連続した音声として再生される」ことは、本願発明の「トラックデータ記憶手段に記憶された現在のトラックデータに従って、前記音データ記憶手段から該トラックデータの示す切出範囲の各部分音データを該部分音データに対応した再生タイミングで読み出して再生するトラック再生手段」を備えることに相当する。 
　
　そうすると、本願発明と引用発明とは次の点で一致する。
　一致点
「複数のトラックで構成されるオーディオデータを編集可能なオーディオデータ記録再生装置において、
　複数の音データを記憶する音データ記憶手段と、
　前記音データ記憶手段に記憶されている複数の音データからの当該トラックで再生する１ないし複数の部分音データの切出範囲、および、該切出された１ないし複数の部分音データの各々の上記オーディオデータの演奏開始時点からの相対時間である再生タイミングを示すトラックデータを記憶するトラックデータ記憶手段と、
　編集指示に応じて、現在のトラックデータの少なくとも１つの部分音データを変更、ないし削除、または同トラックデータへ新たな部分音データを追加するように、同トラックデータを編集するとともに、編集されたトラックデータを新たな現在のトラックデータとして前記トラックデータ記憶手段に記憶するトラック編集手段と、
　トラックデータ記憶手段に記憶された現在のトラックデータに従って、前記音データ記憶手段から該トラックデータの示す切出範囲の各部分音データを該部分音データに対応した再生タイミングで読み出して再生するトラック再生手段と
を備えたことを特徴とするオーディオデータ記録再生装置。」
　
　一方、次の各相違点で相違する。
（相違点１）
　本願発明では、「トラックデータ記憶手段」について「複数のトラックの各トラック毎に」記憶するとしているのに対し、引用発明においてはこのような特定がない点。
　
（相違点２）
　本願発明では、「トラックデータ記憶手段」についてさらに「編集の履歴として複数記憶する」とし、「トラック編集手段」について、「編集の履歴のうちの現在のトラックデータ」を編集するとともに、編集されたトラックデータを「履歴の新たな現在のトラックデータとして」トラックデータ記憶手段に記憶すると特定しているにに対し、引用発明には、これらの特定がない点。
　
（相違点３）
　本願発明は「アンドゥの指示に応じて、上記編集の履歴のうちの上記編集の前のトラックデータを現在のトラックとして選択するアンドゥ手段」を備えるのに対し、引用発明には、このような特定がない点。
　
４．判　断
　そこで、上記相違点について検討する。
（相違点１について）
　音声データを編集可能な記録再生装置において、複数のトラックを有し、トラック毎に編集を可能としたものは、いわゆるマルチトラックレコーダとして、本願出願当時、既に、録音・放送のスタジオ等において広く用いられる周知の装置にすぎない。また、例えば当審による拒絶理由に引用した特開平１０−２５４４４３号公報には、１６のトラックを有し、編集の一種である「パンチイン」を、トラックを指定した後に、当該トラックについて行うようにすることが示されている。
　これらのことからすると、引用発明のミュージックファイルを、マルチトラックレコーダにおいて、トラック毎に編集、記憶することは当業者が容易に想到しうるものである。
　
（相違点２について）
　一般に、データを編集した後、編集されたデータを記憶する際に、上書きすることで最新のデータのみ保持するか、編集の結果を別のデータとして複数保持するかは、いずれも当業者が適宜採用可能な事項にすぎない。
　当審による拒絶理由で示した、上記第２引用例（特開平７−１４１８４２号公報）には、編集した結果を「編集パターン」と称し、番号を付けて複数の編集パターンをストアすることで、後で呼び出すことを可能とした編集装置が記載されている。前記、対比の項で「仮にこの点に相違が認められるとされた場合」とした、部分音データの「切出範囲」の変更、削除、追加についても、第２引用例では、編集パターンのデータとして記憶していることが明らかであるから、音データ自体とは別に、「ソースファイルの切り出し点」及び「ソースファイルより切り出された部分（オーディオ素材）を置く位置」をそれぞれ変更することができるもので、第２引用例に記載された発明を参照することにより、引用発明においても、「切出範囲」及び「再生タイミング」を「複数記憶する」ことは当業者が容易に想到しうるものである。
　また、「履歴として」記憶することは、複数の編集パターンを単に編集の順序に関する情報とともに記憶し、履歴を遡る際には前記順序に従って新しい方から古い方へと順にアクセスする程度のことにすぎず、データを編集した際に「履歴として」データを保持することは、当審による拒絶理由において、特開平９−１４７５３０号公報、特開平１０−２９３９８９号公報、特開平８−３０６１２号公報、特開平１１−２７２６６０号公報、及び特開２０００−２７２６６０号公報を引用して周知技術にすぎないことを示したとおりであるから、本願発明の「編集の履歴として複数記憶する」点は、第２引用例に記載された発明、及び周知技術を参照することにより当業者が容易に想到しうるものである。
　データの履歴を管理するために「編集の履歴として複数記憶する」こととした場合、「編集の履歴のうちの現在の」データを編集対象とすること、及び編集されたデータを新たな現在データとすることは当然であるから、トラックデータの編集においては、「編集の履歴のうちの現在のトラックデータ」を編集するとともに、編集されたトラックデータを「履歴の新たな現在のトラックデータとして」記憶することは当然の結果にすぎない。
　
（相違点３について）
　データを編集した際に、履歴を管理することによりアンドゥが可能となるのは自明であって、履歴を管理する場合にアンドゥ手段を備えることは当業者が当然想到しうることにすぎない。上記（相違点２について）で示した各周知例においても、「アンドゥ」の他、「データの復元」または「ｎ世代前のデータを戻す」等、実質上アンドゥ手段を備えることが記載されており、データ編集の履歴を管理する場合には、アンドゥ手段を備えることで、編集データを遡ることができるようにすることは、当業者が容易に想到しうるものである。
　なお、請求人は、平成２０年１０月６日付けの意見書において、
『通常のアンドゥ技術を適用すると、履歴としては１ないし複数の部分音データの切出範囲範囲のうちの何れか１の切出範囲、または、１ないし複数の部分音データの再生タイミングのうちの何れか１の再生タイミング」が記録されるはずです。
　これに対して、本願発明では、アンドゥ用の履歴として、個別の切出範囲や個別の再生
タイミングではなく、変更されていない切出範囲や変更されていない再生タイミングのデータをも含む「トラックデータ」が丸ごと記憶されるものであります。例えば、複数の部分音データに対してそのうちの一部の部分音データを編集した場合でも、トラック全体を記憶するものであります。本願発明はこの点に従来にない特徴があります。』
と主張しているが、第２引用例で示した「編集パターン」は、「丸ごと」記憶されていると解され、一部の変更データのみを個別に記憶したものと認める根拠はないから、第２引用例に示した「編集パターン」を履歴として複数記憶することで編集パターンについて「丸ごと」元に戻ることができるのは当然のことである。
　
　そして、上記各相違点を総合的に判断しても、本願発明が奏する効果は、各引用例に記載された発明及び周知技術から、当業者が十分に予測できたものであって、格別なものとはいえない。
　
５．むすび
　以上のとおりであって、本願の請求項１に係る発明は、各引用例に記載された発明、及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。